(57)【要約】【課題】開封後においても袋体の開閉口を比較的容易に閉止することができ、開閉作業も簡単な包装用袋を提供する。【解決手段】包装用袋１は、開閉口４を形成する柔軟な合成樹脂製のフィルム材２，３の一方のフィルム材２に当該フィルム材２を貫通する複数の孔部５を設け、フィルム材２，３に着脱可能な粘着面６ａを有する粘着シート材６を袋体外面１ａから孔部５を閉塞する状態に貼着して形成されている。孔部５の袋体内面１ｂ側には粘着シート材６の粘着面６ａが露出し、対向する他方のフィルム材３の内面３ｂに接着可能となるため、フィルム材２，３を重ね合わせ、フィルム材２の孔部５から露出した粘着面６ａを他方のフィルム材３の内面３ａに接着させることによって、包装用袋１の開閉口４を容易に閉止することができる。【選択図】　　　　図１
2004010106.tif 000002
【特許請求の範囲】
【請求項１】
柔軟なフィルム材で形成され上縁部に開閉口を有する袋体であって、前記袋体を形成するフィルム材の一方のフィルム材の前記開閉口より下方の位置に当該フィルム材を貫通する孔を設けたことを特徴とする包装用袋。
【請求項２】
柔軟なフィルム材で形成され上縁部に開閉口を有する袋体であって、前記袋体を形成するフィルム材の少なくとも一方のフィルム材の前記開閉口より下方の位置に当該フィルム材を貫通する孔を設け、前記フィルム材に着脱可能な粘着シート材を前記袋体外面から前記孔を閉塞するように貼着したことを特徴とする包装用袋。
【請求項３】
前記孔を前記袋体の上縁部と平行に複数配置した請求項１または２記載の包装用袋。
【請求項４】
前記孔を前記袋体の長さ方向に間隔をおいて複数配置した請求項１〜３のいずれかに記載の包装用袋。
【請求項５】
前記孔が設けられたフィルム材の上縁部を袋体底部と反対方向へ延出させ、袋体底部方向へ折り曲げて前記孔を被覆可能なリブを設けた請求項１〜４のいずれかに記載の包装用袋。
【発明の詳細な説明】
【０００１】
【発明の属する技術分野】
本発明は、果実類、野菜類その他の物品を包装するための包装用袋に関する。
【０００２】
【従来の技術】
八百屋あるいはスーパーマーケットなどで販売されている野菜類や果実類などは、透明な合成樹脂フィルム材で形成された包装用袋に収容された状態で陳列されている。このような包装用袋は、軽くて丈夫であり、収容物を外から目視確認できるので、新鮮さが商品価値の一つである生鮮果実などの陳列販売用として好適であり、従来、様々なサイズ、形状のものが使用されている。
【０００３】
従来の包装用袋は、その上縁部の開閉口から野菜類や果実類などの各種物品を袋体内へ挿入した後、開閉口を形成する２枚のフィルム材を互いに溶着したり、上縁部付近でフィルム材を束ねてその周囲を粘着テープで結束したりすることによって開閉口が閉じられている。
【０００４】
包装用袋で包装された物品の購入者は、包装用袋を開封して物品を取り出してそれぞれの目的に使用しているが、袋体内の収容物を一度で使い切れず残った場合、開閉口を封止して保管する必要がある。このような場合、開閉口付近でフィルム材を束ねて輪ゴムで結束したり、開閉口よりも下方部分でフィルム材を折り曲げてクリップで挟んだりすることが多い。
【０００５】
一方、購入者が包装用袋を一旦開封した後においても開閉口を密封状態に閉止することができるように、袋体の開閉口を形成する２枚のフィルム材内面に互いに係脱可能なファスナー部を設けた包装用袋もある。
【０００６】
【発明が解決しようとする課題】
従来の包装用袋は、開封後、袋体内に残っている収容物を保管するなどの目的で開閉口を閉止する必要が生じた場合、前述したように、輪ゴムあるいはクリップなどを使用しなければならないので面倒であり、閉止作業には若干の要領を必要とするため、幼い子供や手の不自由な老人などにとっては困難な作業である。また、輪ゴムやクリップなどの適当な閉止用具がないときには開閉口を閉じることができない。
【０００７】
一方、開閉口にファスナー部を有する包装用袋は、一旦開封した後も自由に開閉口を開閉することができ、閉止時にける密封性にも優れているので便利であるが、ファスナー部を互いに嵌合させる閉止作業は幼い子供や手先の不自由な老人などにとっては困難な作業であり、ファスナー部の一部が変形したり、ファスナー部に異物などが挟まったりすると閉止機能が著しく低下するので慎重な取り扱いが必要である。また、袋体にファスナー部を形成することで製造コストも増加するため、野菜類や果実類などの陳列販売用として大量に使用され、使用後は比較的短時間のうちに廃棄される用途には不向きである。
【０００８】
本発明は、開封後においても袋体の開閉口を比較的容易に閉止することができ、開閉作業も簡単な包装用袋を提供することにある。
【０００９】
【課題を解決するための手段】
本発明の包装用袋は、柔軟なフィルム材で形成され上縁部に開閉口を有する袋体であって、前記袋体を形成するフィルム材の一方のフィルム材の前記開閉口より下方の位置に当該フィルム材を貫通する孔を設けたことを特徴とする。このような構成としたことにより、フィルム材に着脱可能な粘着面を有するセロファンテープなどの粘着シート材を袋体外面から前記孔を閉塞するように貼着すれば、孔の袋体内面側には粘着シート材の粘着面が露出した状態となり、対向する他方のフィルム材内面に接着可能となるため、孔から露出したこの粘着面を他方のフィルム材内面に接着させることで袋体の開閉口を容易に閉止することができるようになる。
【００１０】
また、前記粘着面はフィルム材に着脱可能であり、開閉口を形成する２枚のフィルム材が互いに密着するように押圧すれば前記粘着面が対向するフィルム材内面に接着して開閉口が閉止され、２枚のフィルム材を引き離せば前記粘着面が対向するフィルム材から離脱して開閉口が開くので、開閉作業も簡単である。なお、粘着シート材を貼着する前の孔は、袋体の内部と外部とを連通する通気孔としても機能する。
【００１１】
また、本発明の包装用袋は、柔軟なフィルム材で形成され上縁部に開閉口を有する袋体であって、前記袋体を形成するフィルム材の少なくとも一方のフィルム材の前記開閉口より下方の位置に当該フィルム材を貫通する孔を設け、前記フィルム材に着脱可能な粘着シート材を前記袋体外面から前記孔を閉塞するように貼着したことを特徴とする。
【００１２】
このような構成において、孔は、袋体の開閉口を形成するフィルム材の一方のみに設けたり、あるいは両方のフィルム材に設けたりすることができるが、袋体を形成するフィルム材の一方のみに孔を設けた場合、孔の袋体内面側には粘着シート材の粘着面が露出した状態となり、対向する他方のフィルム材内面に貼着可能となるため、孔から露出した粘着面を他方のフィルム材内面に接着させることで袋体の開閉口を容易に閉止することができる。
【００１３】
また、前記粘着面はフィルム材に着脱可能であるため、２枚のフィルム材の孔の近辺を互いに密着し合う方向に押圧すれば前記粘着面が対向するフィルム材内面に接着して開閉口が閉止され、２枚のフィルム材を引き離せば前記粘着面が対向するフィルム材から離脱して開閉口が開放されることとなり、開閉操作も簡単である。この場合、当該孔から露出する粘着テープの粘着面が他方のフィルム材内面に接着することで開閉口が閉止されるので、フィルム材に対する粘着面の粘着力と同等の閉止力が得られる。
【００１４】
一方、前記構成において、２枚のフィルム材の両方にそれぞれ孔を設ける場合、両方のフィルム材を重ね合わせて開閉口を閉じたとき、それぞれのフィルム材に設けられた孔同士が完全に一致して重なり合う形態、孔同士が部分的に重なり合う形態、孔同士が全く重なり合わない形態の３つの形態を採ることができる。
【００１５】
いずれの形態においても一方のフィルム材の孔から露出した粘着シート材の粘着面を他方のフィルムの孔から露出した粘着シートの粘着面の少なくとも一部あるいは他方のフィルム材内面に貼着可能となるため、両方のフィルムを重ね合わせ、一方のフィルム材の孔から露出した粘着面を他方のフィルムの孔から露出した粘着シートの粘着面または他方のフィルム材内面に接着させることによって袋体の開閉口を容易に閉止することができる。
【００１６】
また、フィルム材の一方のみに孔を設けた場合と同様、２枚のフィルム材の孔の近辺を互いに密着し合う方向に押圧すれば一方のフィルム材の孔から露出した粘着面が他方のフィルム材の孔から露出した粘着面あるいはフィルム材内面に接着して開閉口が閉止され、２枚のフィルム材を引き離せば前記粘着面が対向する粘着面やフィルム材内面から離脱して開閉口が開放されるので、開閉操作も簡単である。
【００１７】
ここで、袋体を形成するフィルム材の両方にそれぞれ孔を設ける場合において、両方のフィルム材を重ね合わせて開閉口を閉じたとき、それぞれのフィルム材に設けられた孔同士が完全に一致して重なり合う形態とすれば、対向する位置にある孔から露出した粘着面同士が互いに全面的に接着し合うので最も強い閉止力が得られ、孔同士が全く重なり合わない形態とすれば、孔から露出した粘着面は他方のフィルム材内面に貼着されるのでフィルム材自体に対する粘着面の粘着力と同等の閉止力が得られ、孔同士が部分的に重なり合う形態とすれば、孔から露出した粘着面は他方のフィルム材内面または他方のフィルム材の孔から露出した粘着面の一部に貼着されるので、前記二つの形態の場合の閉止力の中間程度の閉止力が得られる。
【００１８】
なお、両方のフィルム材の孔同士が部分的に重なり合う形態を採る場合、対向関係にある孔の位置を変えれば、孔同士の重なり合う部分の面積を変えることが可能であり、これによって両方のフィルム材の孔から露出する粘着面同士の貼着面積を増減させることができるので、前記貼着面積を増やして接着力を増すことで開閉口の閉止力を増大させたり、前記貼着面積を減らして接着力を減らすことで閉止力を減少させたりすることができ、使用条件に適した閉止力の調節、設定が可能である。
【００１９】
ここで、前記孔は前記袋体の上縁部と平行に複数配置することが望ましく、このような構成とすれば、前記孔を閉塞するように貼着された粘着シート材の粘着面による接着個所が袋体の上縁部と平行をなすように形成されるため、袋体の開閉口を確実に閉塞することができるようになる。この場合、前記孔の形状は特に限定するものではないので、円形、楕円形、長円形、多角形など任意の形状にすることができる。なお、両方のフィルム材にそれぞれ複数の孔を設ける場合、両方のフィルム材を重ね合わせて開閉口を閉じたとき、それぞれのフィルム材に設けられた孔同士がそれぞれ完全に一致して重なり合う形態、複数の孔同士がそれぞれ部分的に重なり合う形態、孔同士が全く重なり合わない形態の３つの形態を採ることができ、それぞれ前述したような閉止力の格差を設定することができる。
【００２０】
また、両方のフィルム材にそれぞれ複数の孔を有する包装用袋の場合、一つの包装用袋において前述した３つの形態を混在させた形態とすることも可能であり、これによって、一つの開閉口に閉止力の強い部分、弱い部分を設けることができる。例えば、両方のフィルム材にそれぞれ設けられた複数の孔のうち、開閉口の中央付近にある孔同士はそれぞれ完全に一致して重なり合う形態とし、開閉口の両端付近にある孔同士はそれぞれ部分的に重なり合う形態または全く重なり合わない形態とすれば、開閉口の中央付近の閉止力は強く、開閉口の両端付近の閉止力は弱く設定することができ、これと逆の形態とすれば閉止力の強弱も逆の設定とすることができるので、一つの包装用袋の開閉口において使用条件に適した閉止力の強弱の設定が可能となる。
【００２１】
一方、前記孔は袋体の長さ方向に間隔をおいて複数配置することができ、このような構成とすれば、袋体の長さ方向の複数箇所でフィルム材同士が接着されるので、開閉口をさらに確実に閉止することができるだけでなく、開閉口寄りに位置する孔から露出した粘着面を利用して閉止したり、底部寄りに位置する孔から露出した粘着面を利用して閉止したりすることもできるので、当該包装用袋内の収容物の大きさに適した位置で閉止することが可能となる。
【００２２】
さらに、前記孔が設けられたフィルム材の上縁部を袋体底部と反対方向に延出させ、袋体底部方向へ折り曲げて当該フィルム材の前記孔を被覆可能なリブを設けることもできる。このようなリブを設ければ、当該リブを開閉口から袋体内部へ差し込むように袋体底部方向へ１８０度折り曲げ、リブが存在する方のフィルム材の孔を被覆することにより、孔から袋体内部側へ露出した粘着シート材の粘着面に当該リブを貼着し、その粘着力を失わせることができるようになる。
【００２３】
したがって、フィルム材の一方のみに孔が設けられ当該孔を閉塞するように粘着シートが貼着された包装用袋の場合は、前述のようにリブを折り曲げることにより、孔から露出した粘着面の粘着力が失われるので開閉口は開閉自在となる。一方、フィルム材の両方に孔が設けられ各々の孔を閉塞するように粘着シート材が貼着された包装用袋の場合は、前述のようにリブを折り曲げることより、一方のフィルム材の孔から露出している粘着面の粘着力が失われるので、両方の孔から露出する粘着面同士を接着するときに比べ接着力が半減することとなり、閉じた開閉口を開くとき、より少ない力で開くことができるようになる。
【００２４】
なお、本発明の包装用袋において、フィルム材に設ける孔の大きさや配置位置、複数の孔を設ける場合の孔の個数、配列間隔などについては特に限定するものではないので、包装用袋のサイズ、フィルム材の材質や厚さや強度、粘着シートの強度、粘着力、収容物の種類や性状あるいは空気（ガス）の流通性の要不要などのほか、ドリップ（収容物に由来する液体）の流出防止の要不要など、様々な条件に応じて設定することができる。一例を挙げれば、材質がＯＰＳ（二軸延伸ポリスチレン）で、厚さ１５〜２０μｍ程度のフィルム材で形成された縦３００ｍｍ、横２００ｍｍ程度の袋体の場合、孔の内径は２〜１０ｍｍ程度が望ましい。
【００２５】
孔の内径が、２ｍｍより小さくなると粘着シート材を孔に貼着したときの粘着面の露出面積が少なくなるので粘着力が低下して袋体の開閉口の閉止力が不足する傾向が生じ、孔が１０ｍｍより大きくなると閉止力は増大するものの粘着面の増加で袋体の収容スペースが減少したり、袋体の強度が低下したりして実用性が低くなるので、孔の内径は２〜１０ｍｍ程度が適正範囲である。
【００２６】
【発明の実施の形態】
図１は本発明の第１実施形態である包装用袋を示す斜視図であり、図２は図１に示す包装用袋の使用状態を示す斜視図であり、図３は図２におけるＡ―Ａ線断面図である。
【００２７】
本発明の包装用袋１は、柔軟な合成樹脂製フィルム材２，３で形成され上縁部２ａ，３ｂに開閉口４を有する袋体であって、フィルム材２，３のうちの一方のフィルム材２のみに、開閉口４の下方の位置に当該フィルム材２を貫通する複数の孔５を設け、フィルム材２に着脱可能な粘着面６ａを有する粘着シート材６を袋体外面１ａから孔５を閉塞するように貼着して形成されている。
【００２８】
このような構成としたことにより、図３に示すように、孔５の袋体内面１ｂ側には粘着シート材６の粘着面６ａが露出した状態となり、対向する他方のフィルム材３の内面３ｂに接着可能となるため、フィルム材２，３を重ね合わせ、フィルム材２の孔５から露出した粘着面６ａを他方のフィルム材３の内面３ａに接着させることによって、図２に示すように、包装用袋１の開閉口４を容易に閉止することができる。
【００２９】
粘着シート材６の粘着面６ａはフィルム材２，３に対し何度でも着脱可能な粘着機能を有しているため、フィルム材２，３が互いに密着するように押圧すればフィルム材２の孔５から露出した粘着面６ａが対向するフィルム材３の内面３ｂに接着して開閉口４が閉止され、フィルム材２，３を引き離せば粘着面６ａが対向するフィルム材３の内面３ｂから離脱して開閉口４が開くので、開閉作業も簡単である。
【００３０】
このように、包装用袋１は孔５から露出した粘着面６ａを利用して開閉口４を閉止することができるので、包装用袋１の中に収容物Ｎがある状態で保管したい場合などに便利であり、開閉口４は何度でも開閉できるので、収容物Ｎを少しずつ取り出して使用する場合も便利である。
【００３１】
また、包装用袋１において、複数の孔５は袋体の上縁部２ａと平行に一定間隔ごとに配置されているため、孔５を閉塞するように貼着した粘着シート材６の粘着面６ａによる接着個所が袋体の上縁部２ａと平行をなすように形成されるため、袋体の開閉口４を確実に閉塞することができる。本実施形態では、孔５の形状は円形としているが、この形状に限定するものではないので、楕円形、長円形、多角形など任意の形状にすることができる。
【００３２】
次に図４を参照して、本発明の第２実施形態である包装用袋２１について説明する。包装用袋２１は、図４（ａ）に示すように、フィルム材２２，２３で形成され上縁部２２ａ，２３ａに開閉口２４を有する袋体であって、フィルム材２２，２３の一方のフィルム材２２のみに、開閉口２４の下方の位置に当該フィルム材２２を貫通する複数の孔２５を設けたものである。
【００３３】
包装用袋２１は従来の包装用袋と同様、図４（ｂ）に示すように、収容物Ｎを袋体内に挿入し、フィルム材２２，２３を上縁部２２ａ，２３ａ付近で束ね、その周囲を粘着テープ２７で結束することによって開閉口２４を閉止することができ、この状態で店舗などに陳列することができる。このとき、複数の孔２５は開放状態にあるため、包装用袋２１の内部と大気中とを連通する通気孔として機能する。
【００３４】
結束部分から粘着テープ２７を取り外したり、粘着テープ２７の貼着位置より下で結束部分を切断したりすることによって包装用袋２１の開閉口２４を開いた後、フィルム材２２，２３に着脱可能な粘着面を有するセロファンテープなどの粘着シート材２６を袋体外面２１ａから複数の孔２５を閉塞するように貼着すれば、図３で示したように、孔２５の袋体内面側に粘着シート材２６の粘着面が露出した状態となる。したがって、前述した包装用袋１の場合と同様、これらの孔２５から露出した粘着面を他方のフィルム材２３の内面に接着させることによって袋体の開閉口２４を容易に閉止することができ、粘着シート材２６の粘着性を利用して何度でも開閉口２４を開閉することができる。
【００３５】
次に図５を参照して、本発明の第３実施形態である包装用袋３１について説明する。包装用袋３１は、フィルム材３２，３３で形成され上縁部３２ａ，３３ａに開閉口３４を有する袋体であって、フィルム材３２，３３の一方に当該フィルム材３２を貫通する複数の孔３５が設けられている。複数の孔３５は、上縁部３２ａと平行に一定間隔ごと配置されるとともに、このような複数の孔３５の列が、包装用袋３１の長さ方向に一定間隔をおいて複数段配列されている。
【００３６】
図５に示すように、上縁部３２ａに最も近い位置に配置された複数の孔３６に対し、フィルム材３２，３３に着脱可能な粘着面を有するセロファンテープなどの粘着シート材３６を袋体外面３１ａから貼着すれば、粘着シート材３６の粘着面は孔３６から袋体内面側へ露出するので、前述した包装用袋１，２１と同様に開閉することができる。このとき、他の孔３５は開放状態にあるため、包装用袋３１の内部と大気中とを連通する通気孔として機能する。
【００３７】
包装用袋３１においては、上縁部３２ａに平行な複数の孔３５の列が、包装用袋３１の長さ方向に一定間隔をおいて上段、中段、下段と複数段に分けて配列されているため、包装用袋３１内に入れられた収容物Ｎの大きさに応じた適切な位置にある孔３５の配列に対して粘着シート材３６を貼着することにより、包装用袋３０の開閉口３４を収容物Ｎの大きさに適した位置で開閉することができる。
【００３８】
また、包装用袋３１内の収容物Ｎが、複数回に分けて取り出すうちに徐々に容量が減少していく性質のものである場合、粘着シート材３６の貼着位置をその容量減少に合わせて包装用袋３１の底部側に配列された孔３５の列に移していけば、収容物Ｎの容量に適合した位置で開閉口３４を開閉することができる。その他の機能、効果などについては包装用袋１，２１と同様である。
【００３９】
次に図６および図７を参照して本発明の第４実施形態および第５実施形態である包装用袋４１および５１について説明する。
【００４０】
図６に示す包装用袋４１は、フィルム材４２，４３で形成され上縁部４２ａ，４３ａに開閉口４４を有し、このフィルム材４２，４３の両方の、開閉口４４の下方の位置に当該フィルム材４２，４３を貫通する孔４５が設けられ、フィルム材４２，４３に着脱可能な粘着面４６ａを有する粘着シート材４６が袋体外面４１ａからこれらの孔４５を閉塞するように貼着されている。
【００４１】
包装用袋４１においては、フィルム材４２，４３の両方にそれぞれ複数の孔４５が設けられ、これらの孔４５はフィルム材４２，４３の上縁部４２ａ，４３ａと平行に一定間隔をおいて配置され、フィルム材４２，４３を密着させたとき対向する孔４５同士が互いに一致するように配置されている。
【００４２】
したがって、開閉口４４を閉じるようにフィルム材４２，４３を重ね合わせて両面から押圧すると、対向位置にある孔４５から露出した粘着面４６ａ同士が互いに接着し合うため強い接着力が得られ、フィルム材の一方のみに孔を設けて粘着シート材を貼着したときより開閉口４４の閉止力を高めることができる。また、両方のフィルム材４２，４３の上縁部４２ａ，４３ａの下方にそれぞれ粘着シート材４６が貼着されているため、上縁部４２ａ，４３ａを補強する効果も得られる。
【００４３】
図７に示す包装用袋５１においては、フィルム材５２，５３の両方にそれぞれ複数の孔５５が設けられ、これらの孔５５はフィルム材５２，５３の上縁部５２ａ，５３ａと平行に一定間隔ごとに配置されているが、フィルム材５２，５３を密着させたときそれぞれのフィルム材５２，５３の孔５５が上縁部５２，５３方向に交互に並ぶように配置されている。
【００４４】
開閉口５４を閉じるようにフィルム材５２，５３を重ね合わせて押圧すると、孔５５から露出した粘着面５６ａが対向するフィルム材５２，５３の内面に接着して開閉口５４が閉止される。このときの開閉口５４の閉止力はフィルム材の一方のみに孔を設けて粘着シート材を貼着したときと同じであるが、フィルム材５２，５３の両方の上縁部５２ａ，５３ａの下方にそれぞれ粘着シート材５６が貼着されているため、包装用袋４１と同様、上縁部５２ａ，５３ａの強度を高めることができる。
【００４５】
次に図８および図９を参照して第６実施形態の包装用袋６１について説明する。図８に示すように、包装用袋６１においては、フィルム材６２，６３の両方に当該フィルム材６２，６３を貫通する複数の孔６５ａ，６５ｂが設けられ、フィルム材６２，６３に着脱可能な粘着面６６ａを有する粘着シート材６６が袋体外面６１ａから孔６５ｂを閉塞するように貼着されている。
【００４６】
また、孔６５ｂが設けられた方のフィルム材６３の上縁部６３ａを袋体底部６１ｂと反対方向へ他方のフィルム材６２の上縁部６２ａよりも長く延出させることによって、袋体底部６１ｂ方向へ折り曲げて孔６５ｂを閉塞可能なリブ６３ｂを設けている。リブ６３ｂには、包装用袋６１をフックなどに引っ掛けて吊り下げ保持するための左右一対の係止孔６７が設けられている。
【００４７】
包装用袋６１は、図９（ａ）に示すように、袋体内部に収容物Ｍを詰め込んだ後、両方のフィルム材６２，６３を重ね合わせ、孔６５ａ，６５ｂ付近の粘着シート材６６を両面から圧着すれば、孔６５ａ，６５ｂから袋体内部側へ露出している粘着面６６ａ同士が互いに接着して開閉口６４が閉止される。この場合、対向する粘着面６６ａ同士が接着するので最も強い閉止力が得られ、外力で開閉口６４が簡単に開かないので、店舗などの陳列場所において、リブ６３ｂの係止孔６７にフック６８を通して吊り下げ状態で陳列することもできる。
【００４８】
包装用袋６１で包装された収容物Ｍの購入者は、フィルム材６２，６３の上縁部６２ａ，６３ａを互いに反対方向に強く引っ張れば、互いに接着し合った粘着面６６ａ同士が離れて開閉口６４が開くので、収容物Ｍを自由に出し入れすることができる。この場合、リブ６３ｂを設けたことで、上縁部６２ａ，６３ａは段違い状態にあり、その位置を容易に視認できるため、上縁部６２ａ，６３ａを手指で摘んで、簡単に開閉口６４を開くことができる。
【００４９】
このように、包装用袋６１は、図９（ａ）で示した、リブ６３ｂを伸ばした状態において、袋体内部で対向位置にある粘着面６６ａ同士の接着力を利用して開閉口６４を閉止することができ、前述の包装用袋４１と同様の機能、効果が得られる。
【００５０】
一方、図９（ａ）の状態にある包装用袋６１の開閉口６４を開いて収容物Ｍの一部を取り出した後などにおいては、図９（ｂ）に示すように、リブ６３ｂを開閉口６４から袋体内部へ差し込むようにして袋体底部６１ｂ方向へ１８０度折り曲げ、孔６５ｂから袋体内部側へ露出している粘着シート材６６の粘着面６６ａにリブ６３ｂを貼着することによって粘着面６６ａを被覆することもできる。
【００５１】
図９（ｂ）に示すようにリブ６３ｂを折り曲げれば、一方のフィルム材６３の孔６５ｂから露出していた粘着面６６ａの粘着力が失われ、他方のフィルム材６２の孔６５ａから露出する粘着面６６ａがリブ６３ｂに接着することとなるので、図９（ａ）に示した場合に比べ接着力は半減する。したがって、閉止されている開閉口６４をより少ない力で開くことができるようになり、手先の力の弱い子供や老人などが開閉しやすい状態となる。
【００５２】
次に図１０を参照して第７実施形態である包装用袋７１について説明する。包装用袋７１においては、フィルム材７２，７３のうちの一方のフィルム材７３に当該フィルム材７３を貫通する複数の孔７５が設けられ、フィルム材７２，７３に着脱可能な粘着面７６ａを有する粘着シート材７６が袋体外面から孔７５を閉塞するように貼着されている。
【００５３】
また、孔７５が設けられたフィルム材７３の上縁部７３ａをフィルム材７２の上縁部７２ａよりも長く延出させてリブ７３ｂが形成され、リブ７３ｂには、フック挿通用の係止孔７７が設けられている。
【００５４】
包装用袋７１の場合、図１０に示すようにリブ７３ｂを起立させた状態であれば、孔７５から露出する粘着面７６ａのフィルム材７２に対する粘着性を利用して開閉口７４を閉止することができ、図１で示した包装用袋１と同様の閉止力が得られる。一方、前述の図９（ｂ）に示すリブ６３ａのように、リブ７３ｂを折り曲げ、孔７５から露出した粘着面７６ａを被覆すれば、フィルム材７２に対する粘着面７６ａの粘着力が失われるので開閉口７４は開閉自在となって自由に開け閉めできる状態となり、必要であればリブ７３ｂを再び起立させれば粘着面７６ａを利用した閉止力を復活させることができる。
【００５５】
次に図１１を参照して第８実施形態の包装用袋８１について説明する。図１１（ａ）に示すように、包装用袋８１においては、フィルム材８２，８３の両方に当該フィルム材８２，８３を貫通する複数の孔８２ａ〜８２ｃおよび孔８３ａ〜８３ｃがそれぞれ設けられ、粘着面８６ａ有する粘着シート材８６が袋体外面からこれらの孔８２ａ〜８２ｃ，８３ａ〜８３ｃを閉塞するように貼着されている。袋体内面側の孔８２ａ〜８２ｃ，８３ａ〜８３ｃからは粘着シート８６の粘着面８６ａがそれぞれ露出している。
【００５６】
図１１（ｂ）に示すように、開閉口８４を閉止するようにフィルム材８２，８３を重ね合わせたとき、孔８２ａ，８３ａ同士は完全に一致するように重なり合い、孔８２ｂ，８３ｂ同士は部分的に重なり合い、孔８２ｃ，８３ｃ同士は全く重なり合わないように配置されている。したがって、フィルム材８２，８３を互いに密着する方向に押圧して開閉口８４を閉じると、孔８２ａ，８３ａから露出する粘着面８６ａ同士は互いに全面的に接着し合い、孔８２ｂ，８３ｂから露出する粘着面８６ａ同士は互いに部分的に接着し合い，孔８２ｃ，８３ｃから露出する粘着面８６ａはそれぞれ対向するフィルム材８３，８２内面に接着することによって開閉口８４が閉止される。
【００５７】
開閉口８４の中央付近では、対向位置にある孔８２ａ，８３ａから露出した粘着面８６ａ同士がそれぞれ互いに全面的に接着し合うので最も強い閉止力が得られ、開閉口の両端付近では孔８２ｃ，８３ｃ同士が全く重なり合わずそれぞれ他のフィルム材８３，８２の内面に接着するので粘着面８６ａの粘着力と同等の閉止力が得られ、開閉口８４の中央付近と両端付近との間では、孔８２ｂ，８３ｂから露出する粘着面８６ａは互いに他方のフィルム材８３，８２の内面および他方の孔８２ｂ，８３ｂから露出した粘着面８６ａの一部に貼着されるので、前記二つの形態の場合の閉止力の中間程度の閉止力が得られる。
【００５８】
このような構成とすることにより、包装用袋８１においては、開閉口８４の中央付近の閉止力は強く、開閉口８４の両端付近に向って閉止力を弱く設定された状態となるため、包装用袋８１内に収容物を入れ開閉口８４を閉止して搬送している場合などに開放方向の力が加わりやすい開閉口８４の中央付近が誤って開くのを防止することができ、開閉口８４を開きたい場合は閉止力の弱い両端付近から容易に開くことができる。
【００５９】
なお、袋体を形成する両方のフィルム材にそれぞれ複数の孔を設ける場合の配列形態は図１１に示す孔８２ａ〜８２ｃ，８３ａ〜８３ｃに限定するものではないので、一つの包装用袋において対向位置関係にある複数の孔同士が全て孔８２ｂ，８３ｂ同士のように部分的に重なり合う形態とすることもできる。
【００６０】
【発明の効果】
本発明により、以下の効果を奏する。
【００６１】
（１）柔軟なフィルム材で形成され上縁部に開閉口を有する袋体において、袋体を形成するフィルム材の一方のみまたは両方に、開閉口の下方の位置に当該フィルム材を貫通する孔を設けることにより、セロファンテープなどの粘着シート材を袋体外面から前記孔を閉塞するように貼着するだけで、開閉口を容易に閉止することができるようになり、開閉作業も簡単となる。
【００６２】
（２）前記孔を袋体の上縁部と平行に複数配置することにより、袋体の開閉口を確実に閉塞することができるようになる。また前記孔を前記袋体の長さ方向に間隔をおいて複数配置することにより、開閉口をさらに確実に閉止することができるようになり、当該包装用袋内の収容物の大きさに適した位置で閉止することも可能となる。
【００６３】
（３）前記孔が設けられたフィルム材の上縁部を袋体底部と反対方向に延出させ、袋体底部方向へ折り曲げて孔を被覆可能なリブを設けることにより、必要に応じて、粘着面による開閉口の閉止力を緩和したり、喪失させたりすることができる。
【図面の簡単な説明】
【図１】本発明の第１実施形態である包装用袋を示す斜視図である。
【図２】図１に示す包装用袋の使用状態を示す斜視図である。
【図３】図２におけるＡ―Ａ線断面図である。
【図４】本発明の第２実施形態である包装用袋を示す斜視図である。
【図５】本発明の第３実施形態である包装用袋を示す斜視図である。
【図６】本発明の第４実施形態である包装用袋を示す部分斜視図である。
【図７】本発明の第５実施形態である包装用袋を示す部分斜視図である。
【図８】本発明の第６実施形態である包装用袋を示す斜視図である。
【図９】図８に示す包装用袋の使用状態を示す部分縦断面図である。
【図１０】本発明の第７実施形態である包装用袋を示す斜視図である。
【図１１】本発明の第８実施形態である包装用袋を示す図であり、（ａ）は部分斜視図、（ｂ）は袋の閉止状態を示す部分正面図である。
【符号の説明】
１，２１，３１，４１，５１，６１，７１，８１　包装用袋
１ａ，２１ａ，３１ａ，４１ａ，６１ａ　袋体外面
２，３，２２，２３，３２，３３，４２，４３，５２，５３，６２，６３，７２，７３，８２，８３　フィルム材
２ａ，３ａ，２２ａ，２３ａ，３２ａ，３３ａ，４２ａ，４３ａ，５２ａ，５３ａ，６２ａ，６３ａ，７２ａ，７３ａ　上縁部
３ｂ　内面
４，２４，３４，４４，５４，６４，７４，８４　開閉口
５，２５，３５，４５，５５，６５ａ，６５ｂ，７５，８２ａ，８２ｂ，８２ｃ，８３ａ，８３ｂ，８３ｃ　孔
６，２６，３６，４６，５６，６６，７６，８６　粘着シート材
６ａ，４６ａ，５６ａ，６６ａ，７６ａ，８６ａ　粘着面
６３ｂ，７３ｂ　リブ
６７，７７　係止孔
６８　フック
Ｎ，Ｍ　収容物
【図１】
2004010106.tif 000003
【図２】
2004010106.tif 000004
【図３】
2004010106.tif 000005
【図４】
2004010106.tif 000006
【図５】
2004010106.tif 000007
【図６】
2004010106.tif 000008
【図７】
2004010106.tif 000009
【図８】
2004010106.tif 000010
【図９】
2004010106.tif 000011
【図１０】
2004010106.tif 000012
【図１１】
2004010106.tif 000013